【手続補正書】
【提出日】令和1年8月2日(2019.8.2)
【手続補正１】
【補正対象書類名】特許請求の範囲
【補正対象項目名】全文
【補正方法】変更
【補正の内容】
【特許請求の範囲】
【請求項１】
記録材に形成された画像を加熱する像加熱装置であって、
第１の発熱体と、
記録材の搬送方向に対して直交する方向において前記第１の発熱体の隣に配置されている第２の発熱体と、
前記第１及び第２の発熱体へ供給する電力を制御し、前記第１及び第２の発熱体を個々に制御可能であり、制御温度を維持するように前記第１及び第２の発熱体をそれぞれ制御する制御部と、
を備え、
前記第２の発熱体によって加熱される記録材上の第２の領域に画像が存在し、前記第１の発熱体によって加熱される記録材上の第１の領域に画像が存在しない場合、前記制御部は、前記第２の領域の画像の端部と、前記第１の領域と前記第２の領域の境界と、の間の距離に応じて、前記第２の領域を加熱する時の前記第２の発熱体の前記制御温度を設定することを特徴とする像加熱装置。
【請求項２】
前記第２の発熱体によって加熱される記録材上の前記第２の領域に画像が存在し、前記第１の発熱体によって加熱される記録材上の第１の領域に画像が存在せず、且つ、前記第２の領域の画像の端部と前記第１の領域と前記第２の領域の境界と、の間の距離が所定距離より短い場合、
前記制御部は、
前記第２の領域を加熱する時の前記第２の発熱体の制御温度を、前記距離が前記所定距離より長い場合に設定される制御温度よりも高い制御温度に設定することを特徴とする請求項１に記載の像加熱装置。
【請求項３】
前記制御部は更に、前記第２の領域に存在する画像の濃度に応じて、前記第２の領域を加熱する時の前記第２の発熱体の前記制御温度を設定することを特徴とする請求項２に記載の像加熱装置。
【請求項４】
前記制御部は、前記境界と、前記第２の領域において前記境界から前記所定距離離れた位置と、の間に存在する画像の濃度に応じて、前記第２の領域を加熱する時の前記第２の
発熱体の前記制御温度を設定することを特徴とする請求項２または３に記載の像加熱装置。
【請求項５】
前記制御部は、前記境界と、前記境界から前記所定距離離れた位置と、の間に存在する画像の濃度が濃くなればなるほど、前記第２の領域を加熱する時の前記第２の発熱体の前記制御温度がより高くなるように設定することを特徴とする請求項４に記載の像加熱装置。
【請求項６】
前記搬送方向と直交する方向において、前記第２の発熱体に隣接し、前記第１及び第２の発熱体とは独立して制御可能な第３の発熱体を更に有し、
前記第２の領域に画像が存在し、前記第１の領域と前記第３の発熱体によって加熱された前記記録材上の第３の領域のいずれか一方に画像が存在しない場合に、前記制御部は、前記第２の領域における前記画像の端部と前記第１の領域と前記第２の領域の境界との間の距離と、前記第２の領域における前記画像の端部と前記第２の領域と前記第３の領域の境界との間の距離のうち、短い方の距離に基づいて、前記第２の領域を加熱する時の前記第２の発熱体の前記制御温度を設定することを特徴とする請求項１〜５のいずれか１項に記載の像加熱装置。
【請求項７】
筒状のフィルムと、前記フィルムの内面に接触し、前記第１と前記第２発熱体とを含むヒータと、を更に有し、
記録材上の画像は前記フィルムを介して前記ヒータからの熱によって加熱されることを特徴とする請求項１〜６のいずれか１項に記載の像加熱装置。
【請求項８】
記録材に画像を形成する画像形成部と、
前記記録材に形成された画像を前記記録材に定着する定着部と、
を有する画像形成装置において、
前記定着部が請求項１〜７のいずれか１項に記載の像加熱装置であることを特徴とする画像形成装置。
【請求項９】
前記ヒータは基板を有し、前記第１及び前記第２の発熱体は前記基板上に設けられていることを特徴とする請求項７に記載の像加熱装置。
【請求項１０】
記録材に形成された画像を加熱する像加熱装置であって、
基板と、前記基板に設けられた複数の発熱ブロックとを有し、前記複数の発熱ブロックが、ヒータの長手方向に沿って配置され、前記ヒータの長手方向において、第１の発熱ブロックと、前記第１の発熱ブロックに隣接して配置される第２の発熱ブロックと、を含むヒータと、
前記複数の発熱ブロックに供給する電力を制御し、前記複数の発熱ブロックを個々に制御可能であり、制御温度を維持するように前記第１及び第２の発熱ブロックをそれぞれ制御する制御部と、
を有し、
前記第２の発熱ブロックによって加熱される記録材上の第２の領域に画像が存在し、前記第１の発熱ブロックによって加熱される記録材上の第１の領域に画像が存在しない場合、前記制御部は、前記第２の領域における前記画像の端部と、前記第１の領域と前記第２の領域の境界と、の間の距離に応じて、前記第２の領域を加熱する時の前記第２の発熱ブロックの前記制御温度を設定することを特徴とする像加熱装置。
【請求項１１】
前記第２の発熱ブロックによって加熱される前記記録材上の前記第２の領域に画像が存在し、前記第１の発熱ブロックによって加熱される前記記録材上の前記第１の領域に画像が存在しない場合であって、且つ、前記第２の領域における前記画像の端部と前記第１の
領域と前記第２の領域の境界との間の距離が所定距離よりも短い場合に、
前記制御部は、前記距離が前記所定距離よりも長い場合に設定する制御温度よりも高く、前記第２の領域を加熱する時の前記第２の発熱ブロックの前記制御温度を設定することを特徴とする請求項１０に記載の像加熱装置。
【請求項１２】
前記制御部は更に、前記第２の領域に存在する画像の濃度に応じて、前記第２の領域を加熱する時の前記第２の発熱ブロックの前記制御温度を設定することを特徴とする請求項１０または１１に記載の像加熱装置。
【請求項１３】
前記制御部は、前記境界と前記第２の領域において前記境界から前記所定距離離れた位置と、の間に存在する画像の濃度に応じて、前記第２の領域を加熱する時の前記第２の発熱ブロックの前記制御温度を設定する請求項１１または１２に記載の像加熱装置。
【請求項１４】
前記制御部は、前記境界と前記境界から前記所定距離離れた位置との間に存在する画像の濃度が濃くなればなるほど、前記制御温度が高くなるように、前記第２の領域を加熱する時の前記第２の発熱ブロックの前記制御温度を設定する請求項１１〜１３のいずれか１項に記載の像加熱装置。
【請求項１５】
前記複数の発熱ブロックは、前記ヒータの長手方向において前記第２の発熱ブロックに隣接し、前記第１及び第２の発熱ブロックとは独立して制御可能な第３の発熱ブロックを更に有し、
前記第２の領域に画像が存在し、前記第１の領域と前記第３の発熱ブロックによって加熱された前記記録材上の第３の領域のいずれか一方に画像が存在しない場合、前記制御部は、前記第２の領域における前記画像の端部と、前記第１の領域と前記第２の領域の前記境界と、の間の距離と、前記第２の領域における前記画像の端部と、前記第２の領域と前記第３の領域の境界と、の間の距離のうち、短い方の距離に基づいて、前記第２の領域を加熱する時の前記第２の発熱ブロックの前記制御温度を設定することを特徴とする請求項１０〜１４のいずれか１項に記載の像加熱装置。
【請求項１６】
筒状のフィルムを更に有し、前記ヒータは前記フィルムの内面に接触しており、
記録材上の画像は、前記フィルムを介して前記ヒータからの熱によって加熱されることを特徴とする請求項１０〜１５のいずれか１項に記載の像加熱装置。
【請求項１７】
記録材に画像を形成する画像形成部と、
前記記録材に形成された画像を前記記録材に定着する定着部と、
を有する画像形成装置において、
前記定着部が請求項１０〜１６のいずれか１項に記載の像加熱装置であることを特徴とする画像形成装置。
【手続補正２】
【補正対象書類名】明細書
【補正対象項目名】０００７
【補正方法】変更
【補正の内容】
【０００７】
上記目的を達成するため、本発明の像加熱装置は、
記録材に形成された画像を加熱する像加熱装置であって、
第１の発熱体と、
記録材の搬送方向に対して直交する方向において前記第１の発熱体の隣に配置されている第２の発熱体と、
前記第１及び第２の発熱体へ供給する電力を制御し、前記第１及び第２の発熱体を個々に制御可能であり、制御温度を維持するように前記第１及び第２の発熱体をそれぞれ制御する制御部と、
を備え、
前記第２の発熱体によって加熱される記録材上の第２の領域に画像が存在し、前記第１の発熱体によって加熱される記録材上の第１の領域に画像が存在しない場合、前記制御部は、前記第２の領域の画像の端部と、前記第１の領域と前記第２の領域の境界と、の間の距離に応じて、前記第２の領域を加熱する時の前記第２の発熱体の前記制御温度を設定することを特徴とする。
上記目的を達成するため、本発明の像加熱装置は、
記録材に形成された画像を加熱する像加熱装置であって、
基板と、前記基板に設けられた複数の発熱ブロックとを有し、前記複数の発熱ブロックが、ヒータの長手方向に沿って配置され、前記ヒータの長手方向において、第１の発熱ブロックと、前記第１の発熱ブロックに隣接して配置される第２の発熱ブロックと、を含むヒータと、
前記複数の発熱ブロックに供給する電力を制御し、前記複数の発熱ブロックを個々に制御可能であり、制御温度を維持するように前記第１及び第２の発熱ブロックをそれぞれ制御する制御部と、
を有し、
前記第２の発熱ブロックによって加熱される記録材上の第２の領域に画像が存在し、前記第１の発熱ブロックによって加熱される記録材上の第１の領域に画像が存在しない場合、前記制御部は、前記第２の領域における前記画像の端部と、前記第１の領域と前記第２の領域の境界と、の間の距離に応じて、前記第２の領域を加熱する時の前記第２の発熱ブロックの前記制御温度を設定することを特徴とする。
上記目的を達成するため、本発明の画像形成装置は、
記録材に画像を形成する画像形成部と、
前記記録材に形成された画像を前記記録材に定着する定着部と、
を有する画像形成装置において、
前記定着部が上記像加熱装置であることを特徴とする。